(57)【要約】【課題】全体をもっと簡単な構成のものとすることができて、駆動のための電源等のエネルギーをそれ程要することのない有害鳥獣脅し装置を提供すること。【解決手段】レール１０を、上昇レール１１と、この上昇レール１１の上端から下端に掛けて、前記区域上を滑らかに下降する下降レール１２とにより構成するとともに、威嚇体３０が、この威嚇体３０側の駆動装置、または上昇レール１１側の駆動レールによって、上昇レール１１の下端から上端に向けて上昇するようにしたこと。【選択図】図１
2008017799.tif 000002
【特許請求の範囲】
【請求項１】
有害鳥獣によって荒らされるおそれのある区域上に閉曲線状に配置されるレールに対して、前記有害鳥獣を追い払うための威嚇体が移動できるようにした有害鳥獣脅し装置であって、
前記レールを、上昇レールと、この上昇レールの上端から下端に掛けて、前記区域上を滑らかに下降する下降レールとにより構成するとともに、
前記威嚇体が、この威嚇体側の駆動装置、または前記上昇レール側の駆動レールによって、前記上昇レールの下端から上端に向けて上昇するようにしたことを特徴とする有害鳥獣脅し装置。
【発明の詳細な説明】
【技術分野】
【０００１】
本発明は、スズメやカラス、あるいはサルやイノシシ等の田畑を荒らす有害鳥獣を脅すための装置に関し、特に、自然落下を利用することによって、有害鳥獣を脅すための「威嚇体」が田畑の上方の広い範囲を定期的に移動して、有害鳥獣を田畑から追い出すことのできる有害鳥獣脅し装置に関するものである。
【背景技術】
【０００２】
田畑の農作物を荒らすスズメやイノシシ等の有害鳥獣を追い払うために、人々は古来より苦労を重ねてきている。最も一般的な「案山子」は、固定的なものであるため、有害鳥獣が慣れてしまい、長期的な効果が期待できないものであった。
【０００３】
近年では、「反射テープ」やひもで吊った「光る目玉」が風に揺られるようにして、有害鳥獣が慣れにくくするようにした脅し具も提案されてきてはいるが、十分な効果は発揮されていないのが実情である。また、特許文献１に示されているような装置も提案されてきている。
【特許文献１】特開平６−１１３７０６号公報、要約、図１、図２
【発明の開示】
【発明が解決しようとする課題】
【０００４】
この特許文献１に示されている「鳥類おどし装置」は、「回動可能に張設された線状体のスリップを防止すると共に、線状体に取り付けられたおどし部材が破損することなく線状体と一緒に移動回動可能とされた鳥類おどし装置を提供すること」を目的としてなされたものである。
【０００５】
この「鳥類おどし装置」は、図４及び図５に示すように、「無端の線状体を回動可能に張設すると共に駆動回動可能とし、かつ線状体には単数もしくは複数のおどし部材を取付けるようにした鳥類おどし装置において、前記線状体は駆動可能とされた駆動ドラムに螺旋状に複数回巻付けられ、かつ駆動ドラム付近には線状体の前記螺旋状の部分のピッチを所定ピッチに保持するように案内するためのガイド滑車を線状体の巻取上流側と下流側とに配置すると共に前記おどし部材はシート状部材、線状部材、紐状部材もしくはこれらを組合せた部材からなり、しかも前記おどし部材の吊下げ時の長さは前記螺旋状の部分のピッチと略同じかもしくは短くされ、さらに前記おどし部材は前記線状体をくわえ込んで固定され得る環状の取付部材上に接着もしくは前記取付部材の内側に噛合わせて締付けて固定し、あるいはおどし部材を針金、糸もしくは紐で線状体に巻付けて取付けられてなり、おどし部材は前記線状体を滑動可能に支持する滑動支持部材上および駆動ドラム上を通過可能とされたこと」といった構成を有するものであって、鳥類のおどしを行えるものとは考えられるが、非常に複雑なものである。
【０００６】
すなわち、この特許文献１に示されている「鳥類おどし装置」は、図４にも示したように、「無端の線状体を回動可能に張設する」必要があり、「線状体は駆動可能とされた駆動ドラムに螺旋状に複数回巻付け」ておかなければならない。従って、広い田畑に配置された線状体は、全体では相当重いものとなり、この重い線状体を「駆動ドラム」によって回転させなければならないから、駆動ドラムの駆動モータは相当強力なものが必要であると考えられる。
【０００７】
そこで、本発明者は、全体をもっと簡単な構成のものとすることができて、駆動のための電源等のエネルギーをそれ程要することのない有害鳥獣脅し装置とするにはどうしたらよいか、について種々検討を重ねてきたのである。
【０００８】
その結果、本発明者は、例えばスズメのような有害鳥類は、タカやワシ等の大型鳥類が飛来してくると、その姿や飛来する際の風を切る音などに驚いて逃げること、イノシシのような有害獣は動くものに敏感で、特に人が近づいてくると逃げること、また、飛来したり動いたりするものが「音」を発するとより警戒感を増すことに気づいたのである。そして、本発明者は、飛来させたり動かしたりするには、人工の力を利用するよりも自然落下を利用することの方が良い結果を生むことに気付き、本発明を完成したのである。
【０００９】
すなわち、本発明の目的とするところは、全体をもっと簡単な構成のものとすることができて、駆動のための電源等のエネルギーをそれ程要することのない有害鳥獣脅し装置を提供することにある。
【課題を解決するための手段】
【００１０】
以上の課題を解決するために、本発明の採った手段は、後述する最良の形態の説明中において使用する符号を付して説明すると、
「有害鳥獣４０によって荒らされるおそれのある区域上に閉曲線状に配置されるレール１０に対して、有害鳥獣４０を追い払うための威嚇体３０が移動できるようにした有害鳥獣脅し装置１００であって、
レール１０を、上昇レール１１と、この上昇レール１１の上端から下端に掛けて、前記区域上を滑らかに下降する下降レール１２とにより構成するとともに、
威嚇体３０が、この威嚇体３０側の駆動装置、または上昇レール１１側の駆動レールによって、上昇レール１１の下端から上端に向けて上昇するようにしたことを特徴とする有害鳥獣脅し装置１００」
である。
【００１１】
すなわち、本発明に係る有害鳥獣脅し装置１００は、有害鳥獣４０によって荒らされるおそれのある田畑上に閉曲線状に配置されるレール１０に対して、有害鳥獣４０を追い払うための威嚇体３０を移動でするようにしたもので、有害鳥獣４０を脅すための威嚇体３０を、レール１０に対して、丁度ジェットコースターのように、威嚇体３０の重力を利用して自然落下させるようにしたものである。
【００１２】
レール１０は、図１及び図２に示すように、適宜な箇所において支柱２０によって支持するようにしたものであり、威嚇体３０を所定の高さまで上げるための上昇レール１１と、この上昇レール１１の上端から下端に向けて滑らかに連なりかつ下降する下降レール１２とからなっている。このレール１０に対しては、威嚇体３０が、図２に示すように、移動自在に吊下してある。
【００１３】
レール１０を支持するための支柱２０は、図２に示すように、そのオーバーハング部２１によって上記レール１０を支持するものであり、レール１０の高さは、当該支柱２０の図示しない高さ調整部分によって適宜調整できるようにしてある。
【００１４】
威嚇体３０は、図１及び図２に示すように、有害鳥獣４０がスズメである場合に適したカラスあるいはトンビの形状にしてあり、移動方向に顔を向けている。この威嚇体３０は、図２に示すように、その駆動部３１に設けてある転動ローラ３２をレール１０内に係合させることによってレール１０に対して吊下したものであり、このレール１０が閉曲線であって順次降下する形状にしてあることから、上昇レール１１の上端にまで持ち上げられてから下降レール１２に沿って上昇レール１１の下端にまで自然落下によって至るものである。
【００１５】
なお、この威嚇体３０の形状や色等は、田畑等の区域を荒らす有害鳥獣４０の種類によって適宜決定すればよいものであり、さらには、レール１０に対して移動する際に風を切る音が出るようにしたり、録音した犬のほえ声を流すようにしたり、あるいは駆動部３１内に警報音発生装置を内蔵するように実施してもよい。
【００１６】
さて、最良形態で示した威嚇体３０は、上昇レール１１の下端に配置すると、そのアクチュエータ３４が上昇レール１１側のリミット端子１３によって作動される。そうすると、駆動部３１内に内蔵したモータによってピニオン３３が回転し始め、このピニオン３３の回転によって威嚇体３０は上昇レール１１上を上昇していくのである。何故なら、図３に示すように、上昇レール１１には威嚇体３０側のピニオン３３に係合するラック１１ｂが形成してあって、このラック１１ｂ及びこれに係合しているピニオン３３によって、駆動部３１の駆動力が威嚇体３０の上昇力に変換されるからでる。
【００１７】
威嚇体３０が上昇レール１１の上昇端に至ると、ここにはラック１１ｂが存在していないだけでなく、下降レール１２の上端が位置しているから、威嚇体３０は上昇レール１１から自動的に離れるとともに、下降レール１２上を自然落下（駆動部３１側の転動ローラ３２のレール１０に対する転動）していくのである。
【００１８】
このとき、レール１０は、有害鳥獣４０によって荒らされるおそれのある区域上に閉曲線状に配置されているから、威嚇体３０は、有害鳥獣４０によって荒らされるおそれのある区域上を旋回するような状態で移動することになる。つまり、有害鳥獣４０が図１に示すようなスズメであったとすると、このスズメの天敵であるカラスやトンビが上空を旋回するように、当該威嚇体３０が移動することになるのである。
【００１９】
勿論、この威嚇体３０の移動中は、ピニオン３３の駆動は無駄だからなされないようにしてある。例えば、上昇レール１１を登り切ったときにアクチュエータ３４が再び作動されるようにしておいて、これによってピニオン３３の駆動を停止するようにしてある。また、威嚇体３０自体に、風を切って進む時に音が出るような工夫をしておけば、この威嚇体３０は、音を出しながら下降レール１２を降下することになって、有害鳥獣４０の脅しをより効果的に行える。
【００２０】
下降レール１２を滑り落ち切った威嚇体３０は、再び上昇レール１１の下端に至る。そうすると、威嚇体３０側のアクチュエータ３４が上昇レール１１側のリミット端子１３によって作動されることになるから、当該威嚇体３０はこの上昇レール１１上を再び上昇していくことになる。以下は、上述したことの繰り返しである。
【００２１】
以上の結果、本発明の有害鳥獣脅し装置１００では、威嚇体３０が上昇レール１１上を上昇する際に電気等のエネルギーは必要であるが、レール１０の大部分を占める下降レール１２を移動する際には、自然落下を利用していることから、エネルギーは全く不要である。つまり、常に電気ネネルギーが必要な特許文献１のような技術に比較すれば、この有害鳥獣脅し装置１００では、そのエネルギー消費は微々たるものとなっているのである。
【００２２】
従って、本発明に係る有害鳥獣脅し装置１００は、全体を簡単な構成のものとすることができて、駆動のための電源等のエネルギーをそれ程要することがなく、有害鳥獣４０の脅しを確実に行うことができるものとなっているのである。
【発明の効果】
【００２３】
以上、詳述した通り、本発明においては、
「有害鳥獣４０によって荒らされるおそれのある区域上に閉曲線状に配置されるレール１０に対して、有害鳥獣４０を追い払うための威嚇体３０が移動できるようにした有害鳥獣脅し装置１００であって、
レール１０を、上昇レール１１と、この上昇レール１１の上端から下端に掛けて、前記区域上を滑らかに下降する下降レール１２とにより構成するとともに、
威嚇体３０が、この威嚇体３０側の駆動装置、または上昇レール１１側の駆動レールによって、上昇レール１１の下端から上端に向けて上昇するようにしたこと」
にその構成上の特徴があり、これにより、全体を簡単な構成のものとすることができて、駆動のための電源等のエネルギーをそれ程要することがなく、有害鳥獣４０の脅しを確実に行うことができるのである。
【発明を実施するための最良の形態】
【００２４】
次に、以上のようにした本発明を、図面に示した最良の形態である有害鳥獣脅し装置１００について説明すると、この有害鳥獣脅し装置１００は、図１に示したように、有害鳥獣４０によって荒らされるおそれのある区域、つまり田畑上に閉曲線状に配置されるレール１０と、このレール１０を支持する複数の支柱２０と、有害鳥獣４０を追い払うための威嚇体３０とを備えているものである。
【００２５】
レール１０は、図３にも示した上昇レール１１と、この上昇レール１１の上端から下端に掛けて、田畑の上を滑らかに下降する下降レール１２とにより構成したものであり、これらの上昇レール１１及び下降レール１２は、互いに滑らかに連なるものとしてあるとともに、図１に示したように、一つの閉曲線（ループ）を構成しているものである。
【００２６】
上昇レール１１は、図３に示したように、その下端の両側に案内アーム１１ａをそれぞれ形成したものであり、ここに至った威嚇体３０を確実に中央に案内するようになっている。また、この上昇レール１１内にはラック１１ｂが形成してあり、このラック１１ｂに係合した威嚇体３０側のピニオン３３の回転によって、威嚇体３０が当該ラック１１ｂに対して上昇し得るようにしてある。そして、この上昇レール１１には、威嚇体３０側のアクチュエータ３４を作動させるためのリミット端子１３が適宜位置に取り付けてある。
【００２７】
なお、この最良形態のラック１１ｂは、これ自体固定的で動かないものであるが、このラック１１ｂを無端ベルト状にして回転駆動させ、この回転駆動するラック１１ｂに威嚇体３０側の固定的なピニオン３３を係合させて、威嚇体３０の上昇レール１１に対する上昇を可能にするように実施してもよい。
【００２８】
下降レール１２は、図２に示したように、威嚇体３０側の両転動ローラ３２を上方から包み込む形状のものとしたもので、下面に威嚇体３０が通過し得る開口を形成したものである。これにより、威嚇体３０を吊下できるようにしているとともに、威嚇体３０の駆動部３１等の部分を直射日光や雨から保護しているのである。そして、威嚇体３０側の各転動ローラ３２は、当該下降レール１２の開口を形成してる二つの腕部上を転動することになるものである。
【００２９】
この下降レール１２は、上昇レール１１の上端から下端に掛けて傾斜していなければならないが、そのようにするのが複数の支柱２０である。各支柱２０は、図２にも示したように、その上端にオーバーハング部２１を有するものであり、このオーバーハング部２１の先端に上記のレール１０が固定してある。このオーバーハング部２１は、図２に示したように、レール１０に吊下された威嚇体３０と支柱２０とが干渉しないようにするものでもある。
【００３０】
勿論、各支柱２０は、田畑中に立てられるものであるが、その上端の高さを自在に調整できるようにしたものである。何故なら、レール１０の特に下降レール１２は、上昇レール１１の上端から下端に掛けて滑らかに傾斜させなければならないから、そのために、下降レール１２の支えを行う支柱２０については、その支える部分における高さ調整が是非必要になるからである。そのために、各支柱２０について、例えばマイクスタンドのような形状にしておいて、手元でオーバーハング部２１の位置が分かるような目盛りを付すようにするとよい。
【００３１】
威嚇体３０は、有害鳥獣４０を脅す機能を直接的に発揮するものであるから、最良形態では、有害鳥獣４０であるスズメに対して有効なカラスあるいはトンビの形状にしたものである。勿論、対象である有害鳥獣４０に応じた形状や色のものに適宜実施できるものである。なお、本最良形態の威嚇体３０では、レール１０を移動する際に、風によって音が出るような笛が、頭部分や羽部分に設けてある。
【００３２】
この威嚇体３０は、上昇レール１１上を上らなければならない。そのために、この威嚇体３０は、モータや電池、これらの作動を制御する回路等を内蔵した駆動部３１を有しており、この駆動部３１の外側には自由に転動する転動ローラ３２が設けてあ。また、この駆動部３１の下側には、上昇レール１１側のラック１１ｂに係合し得るピニオン３３が設けてあり、このピニオン３３の回転時を検知するアクチュエータ３４が、図２に示したように、威嚇体３０の頭部上に設けてある。
【００３３】
なお、駆動部３１内に内蔵した電池に代えて、威嚇体３０の羽部等に太陽電池を組み込んで、その電力によってピニオン３３の回転を果たしたり、あるいは転動ローラ３２を積極的に回転させるようにしてレール１０に対する移動を確実に行えるように実施してもよい。勿論、この太陽電池や内蔵した電池によって、威嚇体３０が定期的に鳴き声を発するように実施してもよい。
【００３４】
また、図１に示した上昇レール１１の傾斜は比較的緩やかであるが、これをもっと垂直に近い状態に立ち上げるように実施しても良い。そうすることによって、自然落下のための位置エネルギーを十分確保することができるからである。
【産業上の利用可能性】
【００３５】
以上のように構成した本発明の有害鳥獣脅し装置１００は、スズメ等の有害鳥獣４０を、効果的かつ持続的に追い払うことができるものであるから、農作物の被害を極力少なくすることができるだけでなく、電力をそれ程必要としないのであるから、自然破壊を極力抑えることもできるのである。
【図面の簡単な説明】
【００３６】
【図１】本発明に係る有害鳥獣脅し装置を田畑に設置した状態を示す正面図である。
【図２】図１中の１−１線に沿って見た部分拡大縦断面図である。
【図３】レールを構成している上昇レールの拡大平面図である。
【図４】従来の技術を示す平面図である。
【図５】図４の技術を説明する部分拡大正面図である。
【符号の説明】
【００３７】
１００      有害鳥獣脅し装置
１０    レール
１１    上昇レール
１１ａ  案内アーム
１１ｂ  ラック
１２    下降レール
１３    リミット端子
２０    支柱
２１    オーバーハング部
３０    威嚇体
３１    駆動部
３２    転動ローラ
３３    ピニオン
３４    アクチュエータ
４０    有害鳥獣
【図１】
2008017799.tif 000003
【図２】
2008017799.tif 000004
【図３】
2008017799.tif 000005
【図４】
2008017799.tif 000006
【図５】
2008017799.tif 000007